(57)【要約】      （修正有）【課題】構造が簡単でチューブを容易にかつ確実に体表面に固定・保持し、また、より剥がれにくくすることができるチューブ固定用テープを提供する。【解決手段】（ａ）に示すように、チューブ固定部９と連結部１１とを覆う第一剥離部１９を剥がし、チューブ固定部９をチューブ２に巻き付けるように貼り付ける。（ｂ）に示すように、体表面貼り付け部１３を両外側に開くとともに、体表面貼り付け補強部１５を立ち上げる。（ｃ）に示すように、表面貼り付け補強部１５を覆う第三剥離部２３を剥がし、表面貼り付け補強部１５を体表面貼り付け部１３のもう一方の上面に貼り付ける。（ｄ）に示すように、体表面貼り付け部１３を覆う第二剥離部２１を剥がし、チューブ２の先端を患者の鼻から挿入し、所定の位置まで挿入後、体表面貼り付け部１３を患者の頬など体表面の適当な箇所に貼り付ける。【選択図】図８
0003131441.tif 000002
【実用新案登録請求の範囲】
【請求項１】
シート基材の裏面に粘着層を備えたチューブ固定用粘着テープにおいて、上記シート基材はチューブの延長方向に直交する方向にチューブの外周をほぼ覆う長さとチューブを保持可能な所定幅を有するチューブ固定部と、上記チューブ固定部の両外側に延長配置されチューブ固定部より狭い幅を有し両者同一な長さで拝み合わせ状に貼り合わせることで立ち上がりを形成する連結部と、上記連結部の両外側に延長配置され連結部より広い幅と体表面に貼り付け可能な所定長さを有する体表面貼り付け部と、上記両体表面貼り付け部のうち一方の連結部から外れた前後側の内側端及び他方の連結部から外れた前後側であって上記一方とは反対側の内側端または上記両体表面貼り付け部の何れか一方の連結部から外れた前後側の内側端に他方の体表面貼り付け部側に突出形成され他方の体表面貼り付け部上に重ね合わせて貼り付けされる体表面貼り付け補強部と、を具備したことを特徴とするチューブ固定用粘着テープ。
【請求項２】
上記シート基材の裏面に粘着層を覆う剥離材を備え、上記剥離材はチューブ固定部と連結部とを覆う第一剥離部と、体表面貼り付け部を覆う第二剥離部と、体表面貼り付け補強部を覆う第三剥離部と、を具備したことを特徴とする請求項１記載のチューブ固定用粘着テープ。
【考案の詳細な説明】
【技術分野】
【０００１】
本考案は、鼻孔などの開口部より体内に挿入されるチューブの脱落や過挿入を防止するためにチューブを固定・保持するチューブ固定用粘着テープに関する。
【背景技術】
【０００２】
病院や在宅での医療分野において、例えば経管栄養食を必要とする患者などがチューブ装着を必要とすることがある。このチューブは、数時間ないし数日間留置されることがしばしばあるが、その期間は患者から経鼻チューブが脱落したり、逆に内部へ過度に挿入されるなどの医療上危険な事態を防ぐために、チューブを特定の位置に確実に固定・保持しなければならない。
【０００３】
従来、この目的を果たすために介護人が粘着性テープをハサミで切り取り粘着テープを作り、これを使ってチューブと体表面とを固定していた。しかし手作りのため形切りに手間がかかるうえ形状も不揃いで、しかもチューブを直接体表面に接触させてこの上から粘着テープを貼り付けるので剥がれやすく、また、チューブによる接触性皮膚炎を起すことも多かった。そのため専用のチューブ固定具が種々考案されている。
【０００４】
その一例として、柔軟性を持ったシート状の基材を有し、基材は人体固定部及びチューブ固定部を備え、両固定部は一体に連結され裏面に粘着層と粘着層を覆う剥離ライナーとを備え、チューブ固定部は軸線方向において片側に突出しチューブに巻き付け可能に形成された少なくとも１つの部分を備えることを特徴とするチューブ固定用テープが知られている。（例えば、特許文献１参照。）
【特許文献１】特開平０９−２１７７２３号公報
【０００５】
このテープを用いれば、個人が手作りで粘着テープを作成した場合と比較して、手軽さ、チューブ保持力などの点で改善がもたらされる。しかし、チューブが引っ張られたり、押し込まれた場合に、人体固定部と、チューブ固定部と人体固定部との間にある連結部との境目において引き剥がしの力がかかり、力の大きさによってはテープが剥がれてしまうことが懸念され、より剥がれにくい構成が望ましい。
【０００６】
また、このテープは人体固定部の貼り付け位置の自由度が小さく、例えば鼻孔を通じてチューブを装着する場合、人体固定部を鼻に貼り付けることになるが、鼻近くにいろいろあると不快感があり、装着者が剥ぎ取ってしまうおそれがある。また、長時間にわたる貼り付けが必要な場合に、貼り付け地点を随時、任意に変更して不快感を和らげるといった使い方に適さない。さらには、同一もしくは近い位置にある開口部に複数のチューブを接続したい場合に、人体固定部の貼り付け位置の自由度が低いと、貼り付け場所をどう確保するのかという問題がある。
【考案の開示】
【考案が解決しようとする課題】
【０００７】
本考案はこのような点に基づいてなされたものであってその目的とするところは、構造が簡単でチューブを容易にかつ確実に体表面に固定・保持し、また、固定時の違和感を最小にすることで患者及び介護者の負担を軽減し、また、チューブが引っ張られたり押し込まれたりした場合により剥がれにくくすることができるチューブ固定用テープを提供することにある。
【課題を解決するための手段】
【０００８】
上記課題を解決するべく本考案の請求項１によるチューブ固定用粘着テープは、シート基材の裏面に粘着層を備えたチューブ固定用粘着テープにおいて、上記シート基材はチューブの延長方向に直交する方向にチューブの外周をほぼ覆う長さとチューブを保持可能な所定幅を有するチューブ固定部と、上記チューブ固定部の両外側に延長配置されチューブ固定部より狭い幅を有し両者同一な長さで拝み合わせ状に貼り合わせることで立ち上がりを形成する連結部と、上記連結部の両外側に延長配置され連結部より広い幅と体表面に貼り付け可能な所定長さを有する体表面貼り付け部と、上記両体表面貼り付け部のうち一方の連結部から外れた前後側の内側端及び他方の連結部から外れた前後側であって上記一方とは反対側の内側端または上記両体表面貼り付け部の何れか一方の連結部から外れた前後側の内側端に他方の体表面貼り付け部側に突出形成され他方の体表面貼り付け部上に重ね合わせて貼り付けされる体表面貼り付け補強部が設けられていることを特徴とするものである。
【０００９】
また、請求項２によるチューブ固定用粘着テープは、請求項１記載のチューブ固定用粘着テープにおいて、シート基材の裏面に粘着層を覆う剥離材を備え、上記剥離材はチューブ固定部と連結部とを覆う第一剥離部と、体表面貼り付け部を覆う第二剥離部と、体表面貼り付け補強部を覆う第三剥離部と、を具備したことを特徴とするものである。
【考案の効果】
【００１０】
本考案のチューブ固定用粘着テープによれば、チューブを装着する際に、チューブ貼り付け部をチューブに巻き付けるように貼り付け、また、連結部を拝み合わせ状に貼り合わせることで立ち上がりを形成し、さらに体表面貼り付け部を鼻孔付近のより不快感の少ない任意の地点に貼り付けることで、チューブを皮膚に押し付けることなくしっかりと固定することが可能となる。また、チューブ貼り付け部と体表面貼り付け部との間に両貼り付け部よりも幅を狭くした連結部を備えることにより、チューブを中空にて確実かつ自由度高く保持することが可能となる。
更に、体表面貼り付け補強部を有するため体表面貼り付け部の付け根部分に引き剥がしの力が直接かからず貼り付け状態が安定し、剥がれにくいという効果を発揮することができる。
【考案を実施するための最良の形態】
【００１１】
以下、図１〜図８を参照して本考案の第１の実施の形態を説明する。このものは鼻孔に挿入して経管栄養食用のチューブを接続する場合に鼻孔に挿入した経管栄養食用のチューブを体表面に貼り付けて固定・保持するのに使用されるものである。
まず、本考案のチューブ固定用粘着テープ１は、図５に示すように、シート基材３と、上記シート基材３の裏面側に接着剤を塗布してなる接着層５と、接着層５の裏面側に貼り付けられた剥離材としての剥離紙７とから構成されている。シート基材３は一例として天然繊維、合成繊維の織物や不織布が使用される。また、接着層５としては一例としてゴム系等の接着剤等を塗布している。
【００１２】
上記シート基材３は、チューブ２の延長方向に直交する方向にチューブ２の外周をほぼ覆う長さとチューブ２を保持可能な所定幅を有するチューブ固定部９と、上記チューブ固定部９の両外側に延長配置されチューブ固定部９より狭い幅を有し両者同一な長さで拝み合わせ状に貼り合わせることで立ち上がりを形成する連結部１１と、上記連結部１１の両外側に延長配置され連結部１１より広い幅と体表面に貼り付け可能な所定長さを有する体表面貼り付け部１３と、上記両体表面貼り付け部１３の何れか一方の連結部１１から外れた前後側の内側端に他方の体表面貼り付け部１５側に突出形成され他方の体表面貼り付け部１３上に重ね合わせて貼り付けされる体表面貼り付け補強部１５と、に区画されている。
【００１３】
次に、剥離紙７であるが、このものは接着層５の裏面側に貼り付けられている。材質は紙または樹脂フィルム等が使用される。非使用時には、上記剥離紙７が貼り付けられているので不用意にシート基材３の接着層５同士が接着されるようなことはない。使用時には、上記剥離紙７を剥がしてシート基材３を任意の場所に貼り付けるものである。上記剥離紙７は、後述する貼り付け作業時に、貼り付ける部分を順次剥がしていくのが好ましく、そのため以下のように予め区画して分離した状態で貼り付けられている。すなわち、剥離紙７は、一例として、チューブ固定部９と連結部１１とを覆う第一剥離部１９と、体表面貼り付け部１３を覆う第二剥離部２１と、体表面貼り付け補強部１５を覆う第三剥離部２３とに区画されている。尚、第一剥離部１９は図中破線で示すようにチューブ固定部９の中央付近を横断する線で２つに分離されていても良い。
【００１４】
尚、本考案に係るチューブ固定用粘着テープ１は、上記のように予め１枚づつ分離され切り抜かれて個装されたものとして提供される場合もあるが、図７に示すように、剥離材７付きのテープ状粘着テープ２５に複数のチューブ固定用粘着テープ１が連続して描かれたものとして提供されることもある。この場合には、これを順次鋏等で適宜切り出して使用するものである。
【００１５】
以上の構成を基にその作用を説明する。まず、図８（ａ）に示すように、チューブ固定部９と連結部１１とを覆う第一剥離部１９を剥がし、チューブ固定部９をチューブ２に巻き付けるように貼り付ける。チューブ固定部９はチューブ２の外周をほぼ覆う長さとチューブ２を保持可能な所定幅を有するので、その両端縁がチューブ２の下部でほぼ一致する。そこでチューブ固定部１１に続いて連結部１１を相互に貼り付ける。連結部１３はチューブ固定部９より狭い幅を有し両者同一な長さに形成されているので、拝み合わせ状に貼り合わせることで立ち上がりを形成する。
【００１６】
次に、図８（ｂ）に示すように、体表面貼り付け部１３を両外側に開くとともに、体表面貼り付け補強部１５を立ち上げる。そして、図８（ｃ）に示すように、表面貼り付け補強部１５を覆う第三剥離部２３を剥がし、表面貼り付け補強部１５を体表面貼り付け部１３のもう一方の上面に貼り付ける。次に、図８（ｄ）に示すように、体表面貼り付け部１３を覆う第二剥離部２１を剥がし、図１に示すように、チューブ２の先端を患者の鼻から挿入し、所定の位置まで挿入後、体表面貼り付け部１３を患者の頬など体表面の適当な箇所に貼り付ける。尚、上記の貼り付け順序は一例であり、これと異なる順序で貼り付けることも可能である。
【００１７】
図２に示すように、本考案のチューブ固定用粘着テープ１によりチューブ２を固定・保持すると、まず、チューブ２を装着する際に、チューブ固定部９にてチューブ２に貼り付け、また連結部１１で立ち上がりを形成し、更に体表面貼り付け部１３にて患者の鼻付近のより不快感の少ない任意の地点に貼り付けすることで、チューブ２を中空にて皮膚に押し付けることなく固定・保持することができる。
また、体表面貼り付け部１３及び体表面貼り付け補強部１５を有するため体表面貼り付け部１３の付け根部分に引き剥がし力が直接作用しても貼り付け状態が安定し剥がれにくい。
【００１８】
具体的には、図３に示すように、チューブ２がＸ方向（チューブの延長方向）やＹ方向（チューブの延長方向に直交する方向）やＸＹ方向（上記の合成方向）に引っ張られたり、押し込まれたりした場合でも、幅を狭く形成された連結部１１がその方向に追従して捩れたり撓んだりして引っ張り力を吸収し、体表面貼り付け部１５がより広い範囲で体表面に貼着されているので剥がれてしまう危険性はほとんどない。
【００１９】
また、図４に示すように、チューブ２がＺ方向（体表面から引き剥がす方向）やＺＹ方向（斜め方向）に引っ張られたり、押し込まれたりした場合でも、幅を狭く形成された連結部１１がその方向に追従して捩れたり撓んだりして引っ張り力を吸収するとともに、体表面貼り付け補強部１５が体表面貼り付け部１３の上面に覆いかぶさるように貼着されているため、体表面貼り付け部１３の付け根部分に引き剥がしの力が直接かからず貼り付け状態が安定し、剥がれてしまう危険性はほとんどない。
【００２０】
まとめると、より細い幅を取った連結部１１の立ち上がりと体表面貼り付け補助部１３の構成により、上の図に例示したチューブを引っ張ったり押し込んだりする力以外にも、チューブを体表面から持ち上げようとする力、チューブの向きと直交する方向にかかる力など様々の方向の力に対し、その力を体表面貼り付け部１３全体で抗することができるよう分散させることが可能であり、その結果チューブ２をセットした同じ位置に保持する力が向上している。
【００２１】
以上本実施の形態によると次のような効果を奏することがてきる。
まず、本考案のチューブ固定用粘着テープ１によれば、チューブ２を装着する際に、チューブ固定部９をチューブ２に巻き付けるように貼り付け、また、連結部１１を拝み合わせ状に貼り合わせることで立ち上がりを形成し、さらに体表面貼り付け部１３を鼻孔付近のより不快感の少ない任意の地点に貼り付けることで、チューブ２を皮膚に押し付けることなくしっかりと固定することが可能となる。また、チューブ固定部９と体表面貼り付け部１３との間に両部分よりも幅を狭くした連結部１１を備えることにより、チューブ２を中空にて確実かつ自由度高く保持することが可能となる。
更に、体表面貼り付け補強部１５を有するため体表面貼り付け部１３の付け根部分に引き剥がしの力が直接かからず貼り付け状態が安定し、剥がれにくいという効果を発揮することができる。
【００２２】
本考案のチューブ固定用粘着テープ１は、チューブ固定部、連結部、体表面貼り付け部及び体表面貼り付け補強部から構成した形抜き粘着テープであるから、ハサミ等で切り取る手間もなく、組み立て、取り付けも容易でチューブの固定・保持の作業時間を大幅に短縮でき、大勢の患者を持つ大病院等の看護作業では大きな効果を発揮することができるばかりでなく、特に連結部を有するためチューブと顔皮との間にすき間ができ、接触性皮膚炎を防ぎ、かつ連結部と体表面貼り付け補強部を有するため体表面貼り付け部の付け根部分に引き剥がしの力が直接かからず、貼り付け状態が安定し、剥がれにくいという効果を得ることが可能であり、極めて実用性が高いものである。
【００２３】
次に、図９〜図１０を参照して、本考案の第２の実施の形態を説明する。本実施の形態は、上記両体表面貼り付け部１３のうち一方の連結部１１から外れた前後側の内側端及び他方の連結部１１から外れた前後側であって上記一方とは反対側の内側端に突出形成され他方の体表面貼り付け部１３上に重ね合わせて貼り付けされる体表面貼り付け補強部１５Ａ、１５Ｂを設けたものである。その他の構成は前記第１の実施の形態と同じである。そして、この場合には、体表面貼り付け補強部１５Ａ、１５Ｂがそれぞれ対向する体表面貼り付け部上に重ね合わせて貼り付けされるものであり、上記第１の実施の形態の場合と同様に、体表面貼り付け補強部１５Ａ、１５Ｂを有するため体表面貼り付け部１３の付け根部分に引き剥がしの力が直接かからず、貼り付け状態が安定し、剥がれにくいという効果を発揮することができるものである。
【産業上の利用可能性】
【００２４】
尚、上記は本考案の実施方法をあくまで一例としてあげたものである。したがって、実施方法は上記実施の形態に限定されるものではない。例えば、上記ではチューブを鼻孔に挿入する場合の例として、体表面貼り付け部を頬に貼り付けするとしたが、それ以外でもある程度任意の地点にて貼り付けすることが可能である。また、鼻孔以外の開口部、経管栄養食用以外のチューブにて本考案を用いることも可能である。
【図面の簡単な説明】
【００２５】
【図１】本考案の第１の実施の形態を示す図で、チューブ固定用粘着テープの使用状態図である。
【図２】本考案の第１の実施の形態を示す図で、チューブ固定用粘着テープの使用状態斜視図である。
【図３】本考案の第１の実施の形態を示す図で、チューブ固定用粘着テープの使用状態平面図である。
【図４】本考案の第１の実施の形態を示す図で、チューブ固定用粘着テープの使用状態正面図である。
【図５】本考案の第１の実施の形態を示す図で、チューブ固定用粘着テープの正面図である。
【図６】本考案の第１の実施の形態を示す図で、チューブ固定用粘着テープの側面図である。
【図７】本考案の第１の実施の形態を示す図で、チューブ固定用粘着テープの提供方法を示す正面図である。
【図８】本考案の第１の実施の形態を示す図で、チューブ固定用粘着テープの使用方法説明図である。
【図９】本考案の第２の実施の形態を示す図で、チューブ固定用粘着テープの正面図である。
【図１０】本考案の第２の実施の形態を示す図で、チューブ固定用粘着テープの側面図である。
【符号の説明】
【００２６】
１  チューブ固定用粘着テープ
２  チューブ
３  シート基材
５  粘着層
７  剥離材
９  テープ固定部
１１  連結部
１３  体表面貼り付け部
１５  体表面貼り付け補強部
【図１】
0003131441.tif 000003
【図２】
0003131441.tif 000004
【図３】
0003131441.tif 000005
【図４】
0003131441.tif 000006
【図５】
0003131441.tif 000007
【図６】
0003131441.tif 000008
【図７】
0003131441.tif 000009
【図８】
0003131441.tif 000010
【図９】
0003131441.tif 000011
【図１０】
0003131441.tif 000012